(57)【要約】【課題】  鍋などの調理器具をトッププレート上を心配なく自由に移動させることができ、使い勝手のよい加熱調理器を得る。【解決手段】  本体１と、本体１上部を覆うトッププレート２と、トッププレート２の外周部に設けた枠体５と、トッププレート２下部に設けられた加熱部３、４と、加熱部３、４に通電させるために操作し表示する操作表示部６とを有する加熱調理器において、前記操作表示部６は枠体５に設けられると共に、操作表示部６の周囲の枠体５にはリブ状の突起６５が設けられている加熱調理器。【選択図】  図１
2005098701.tif 000002
【特許請求の範囲】
【請求項１】
本体と、本体の上部を覆うトッププレートと、トッププレートの外周部に設けた枠体と、トッププレートの下部に設けられた加熱部と、加熱部に通電させるために操作するヒータ操作部とを有する加熱調理器において、前記ヒータ操作部は枠体に設けられると共に、このヒータ操作部の周囲の枠体にはリブ状の突起が形成されていることを特徴とする加熱調理器。
【請求項２】
本体と、本体の上部を覆うトッププレートと、トッププレートの外周部に設けた枠体と、トッププレートの下部に設けられた加熱部と、加熱部の火力を表示するヒータ火力表示部とを有する加熱調理器において、前記ヒータ火力表示部は枠体に設けられると共に、このヒータ火力表示部の周囲の枠体にはリブ状の突起が形成されていることを特徴とする加熱調理器。
【発明の詳細な説明】
【技術分野】
【０００１】
本発明は、誘導加熱あるいはシーズヒータなどを熱源として、トッププレート上の鍋などの調理器具を加熱するクッキングヒータなどの加熱調理器に関するものである。
【背景技術】
【０００２】
従来のクッキングヒータなどの加熱調理器は、厨房のシステムキッチンや流し台に据え付け、あるいは組み込まれて使用されるものであり、これらの加熱調理器は電気を熱源として使用し、ヒータあるいは誘導加熱を利用し調理物を加熱するものである。
【０００３】
このような加熱調理器においては、使用者が操作する操作部は特許文献１に示すように調理器前面に設けられているため、操作時はかがみ込むような姿勢になり使い勝手が悪いものであった。
【０００４】
そのため、特許文献２に示すように操作部や表示部を鍋などの調理器具を載せる調理器上面に設け、操作性を改善した加熱調理器が提案されている。
【０００５】
【特許文献１】特開平１１−２４１２号公報
【０００６】
【特許文献２】特開平１０−２１４６７７号公報
【発明の開示】
【発明が解決しようとする課題】
【０００７】
しかしながら、このように操作部や表示部を調理器の上面に設けた従来の加熱調理器では、鍋などの調理器具を操作部や表示部の上に載せてしまうことがあった。
【０００８】
特に、調理直後の熱い調理器具を載せてしまうと、その鍋の熱により操作部あるいは表示部に使用されている電子部品などを劣化させ、あるいは破壊してしまうことがあった。
【課題を解決するための手段】
【０００９】
上記課題を解決するために本発明の請求項１では、本体と、本体の上部を覆うトッププレートと、トッププレートの外周部に設けた枠体と、トッププレートの下部に設けられた加熱部と、加熱部に通電させるために操作するヒータ操作部とを有する加熱調理器において、前記ヒータ操作部は枠体に設けられると共に、このヒータ操作部の周囲の枠体にはリブ状の突起が形成されているものである。
【００１０】
また、請求項２では、本体と、本体の上部を覆うトッププレートと、トッププレートの外周部に設けた枠体と、トッププレートの下部に設けられた加熱部と、加熱部の火力を表示するヒータ火力表示部とを有する加熱調理器において、前記ヒータ火力表示部は枠体に設けられると共に、このヒータ火力表示部の周囲の枠体にはリブ状の突起が形成されているものである。
【発明の効果】
【００１１】
本発明は上記のような構成としたことにより、ヒータ操作部やヒータ火力表示部の上に調理直後の熱い鍋などの調理器具を載せた場合でも、リブ状の突起によって直接ヒータ操作部およびヒータ火力表示部には鍋底が接触しないため、その熱によるヒータ操作部およびヒータ火力表示部に使用される電子部品などへの影響を少なくすることができるものであり、部品の劣化、あるいは部品を破壊してしまうということがなくなるものである。
【００１２】
従って、鍋などをトッププレート上を心配なく自由に移動させることができるので、非常に使い勝手がよくなる加熱調理器とすることができるものである。
【発明を実施するための最良の形態】
【００１３】
以下本発明の一実施例を図面に基づいて詳細に説明する。図１は本発明の加熱調理器の斜視図であり、外観を示すものである。図２は同加熱調理器の要部詳細図であり、図３は同要部断面図である。
【００１４】
図において、１は調理器本体（以下本体と称する）であり、この本体１の上部を覆うようにセラミックプレート材などにより形成されるトッププレート２が設けられている。このトッププレート２の下部に加熱部である左ヒータ３、右ヒータ４が設けられている。
【００１５】
また、トッププレート２の外周部には枠体５が設けられている。この枠体５にはヒータ操作部およびヒータ火力表示部を構成する操作表示部６が備えられているものである。７は本体１の前方に設けられた電源スイッチであり、８は本体１内に設けた制御回路であ
る。
【００１６】
前記操作表示部６を図２と図３により詳細に説明する。
【００１７】
６１は左ヒータ３の火力を表示するヒータ火力表示部であり、６２は左ヒータ３のオン・オフや火力調節を行うヒータ操作部である。このヒータ操作部６２には、左ヒータ３の電源をオン・オフする入り切りスイッチ６２１、火力を下げる火力ダウンスイッチ６２２、同じく火力を上げる火力アップスイッチ６２３を有している。
【００１８】
また、６３は右ヒータ４の火力を表示するヒータ火力表示部であり、６４は右ヒータ４のオン・オフや火力調節を行うヒータ操作部である。このヒータ操作部６４には、右ヒータ４の電源をオン・オフする入り切りスイッチ６４１、火力を下げる火力ダウンスイッチ６４２、同じく火力を上げる火力アップスイッチ６４３を有しているものである。
【００１９】
さらに、操作表示部６にはリブ状の突起（以下リブ部と称する）６５が枠体５と一体形状に設けられており、前記ヒータ火力表示部６１、ヒータ操作部６２、ヒータ火力表示部６３、ヒータ操作部６４の周囲に形成されているものである。
【００２０】
すなわち、ヒータ火力表示部６１、６３やヒータ操作部６２、６４の表面は枠体５の上面よりもリブ部６５の分だけ下がった場所に位置しているのである。
【００２１】
次に、以上の構成におけるその作用を説明する。
【００２２】
左ヒータ３、右ヒータ４の各ヒータは独立して操作できるようになっており、左ヒータ３を例にとり操作方法を説明する。
【００２３】
まず、本体１に設けられた電源スイッチ７を入れると本体１の内部に設けられた制御回路８に通電される。この状態で左ヒータ３の上に調理する鍋を載せ、ヒータ操作部６２の入り切りスイッチ６２１を入れる（押す）ことにより左ヒータ３に通電が開始される。
【００２４】
また、ヒータ操作部６２の火力ダウンスイッチ６２２あるいは火力アップスイッチ６２３を押すことにより左ヒータ３の火力（加熱量）を１０段階に可変することができる。
【００２５】
なお、火力はヒータ火力表示部６１に表示され、使用者がどの程度の火力で加熱しているかが分かるようになっている。
【００２６】
調理が完了し、入り切りスイッチ６２１を切ると左ヒータ３の加熱は停止となり、このまま放置すると鍋は自然冷却で温度が下がるものである。
【００２７】
しかしながら、このとき、調理直後の熱い鍋を右方に移動し、操作表示部６の上に鍋を載せた場合でも、各ヒータ火力表示部６１、６３やヒータ操作部６２、６４はリブ部６５を有しているので、リブ部６５よりも少し下がった低いところに位置するようになり、鍋の熱が直接触れることがないので熱の影響を少なくすることができるものである。
【００２８】
以上のように、本発明は操作表示部の上に調理直後の熱い鍋などの調理器具を載せた場合でも、リブ状の突起６５によって直接ヒータ操作部６２、６４およびヒータ火力表示部６１、６３には鍋底が接触しないため、その熱によるヒータ操作部およびヒータ火力表示部に使用される電子部品などへの影響を少なくすることができるものであり、部品の劣化、あるいは部品を破壊してしまうということがなくなるものである。
【００２９】
従って、鍋などをトッププレート２上を心配なく自由に移動させることができるので、非常に使い勝手がよくなる加熱調理器とすることができるものである。
【図面の簡単な説明】
【００３０】
【図１】本発明の一実施例を示す加熱調理器の外観斜視図である。
【図２】同要部詳細図である。
【図３】同要部断面図である。
【符号の説明】
【００３１】
１：調理器本体（本体）
２：トッププレート
３：左ヒータ（加熱部）
４：右ヒータ（加熱部）
５：枠体
６：操作表示部
６１：ヒータ火力表示部
６２：ヒータ操作部
６３：ヒータ火力表示部
６４：ヒータ操作部
６５：リブ部（リブ状の突起）
【図１】
2005098701.tif 000003
【図２】
2005098701.tif 000004
【図３】
2005098701.tif 000005
【手続補正書】
【提出日】平成17年2月16日(2005.2.16)
【手続補正１】
【補正対象書類名】特許請求の範囲
【補正対象項目名】請求項１
【補正方法】変更
【補正の内容】
【請求項１】
本体と、本体の上部を覆うトッププレートと、トッププレートの外周部に設けた枠体と、トッププレートの下部に設けられた加熱部である左ヒータ、右ヒータと、加熱部に通電させるために操作するヒータ操作部とを有する加熱調理器において、前記ヒータ操作部は枠体の上面に設けられると共に、このヒータ操作部の周囲の枠体にはリブ状の突起が枠体と一体形状に設けられていることを特徴とする加熱調理器。
【手続補正２】
【補正対象書類名】特許請求の範囲
【補正対象項目名】請求項２
【補正方法】変更
【補正の内容】
【請求項２】
本体と、本体の上部を覆うトッププレートと、トッププレートの外周部に設けた枠体と、トッププレートの下部に設けられた加熱部である左ヒータ、右ヒータと、加熱部の火力を表示するヒータ火力表示部とを有する加熱調理器において、前記ヒータ火力表示部は枠体の上面に設けられると共に、このヒータ火力表示部の周囲の枠体にはリブ状の突起が枠体と一体形状に設けられていることを特徴とする加熱調理器。
【手続補正３】
【補正対象書類名】明細書
【補正対象項目名】０００９
【補正方法】変更
【補正の内容】
【０００９】
上記課題を解決するために本発明の請求項１では、本体と、本体の上部を覆うトッププレートと、トッププレートの外周部に設けた枠体と、トッププレートの下部に設けられた加熱部である左ヒータ、右ヒータと、加熱部に通電させるために操作するヒータ操作部とを有する加熱調理器において、前記ヒータ操作部は枠体の上面に設けられると共に、このヒータ操作部の周囲の枠体にはリブ状の突起が枠体と一体形状に設けられているものである。
【手続補正４】
【補正対象書類名】明細書
【補正対象項目名】００１０
【補正方法】変更
【補正の内容】
【００１０】
また、請求項２では、本体と、本体の上部を覆うトッププレートと、トッププレートの外周部に設けた枠体と、トッププレートの下部に設けられた加熱部である左ヒータ、右ヒータと、加熱部の火力を表示するヒータ火力表示部とを有する加熱調理器において、前記ヒータ火力表示部は枠体の上面に設けられると共に、このヒータ火力表示部の周囲の枠体にはリブ状の突起が枠体と一体形状に設けられているものである。